(57)【要約】【課題】加熱および安全装置を有する容器、気体貯蔵缶、および水素貯蔵缶を提供する。【解決手段】容器１は、内部空間を有し、気体貯蔵材料を保存するのに用いられる缶本体と、缶本体の内部空間内に設置されており、熱源を提供するのに用いられ、気体貯蔵材料に熱を与え気体を放出させる少なくとも一つの加熱装置４と、加熱装置４と接続されており、缶本体の端部に設けられている少なくとも一つの安全装置３と、を備える。缶本体の内部空間において、温度が所定値より高いとき、または、圧力が所定値より大きいとき、安全装置３を利用して圧力を低減させる。【選択図】図１
2017040371.tif 000002
【特許請求の範囲】
【請求項１】
内部空間を有し、気体貯蔵材料を保存するのに用いられる缶本体と、
前記缶本体の前記内部空間内に設置されており、熱源を提供するのに用いられ、前記気体貯蔵材料に熱を与え気体を放出させる少なくとも一つの加熱装置と、
前記加熱装置と接続されており、前記缶本体の端部に設けられている少なくとも一つの安全装置と、を備え、
前記缶本体の前記内部空間において、温度が所定値より高いとき、または、圧力が所定値より大きいとき、前記安全装置を利用して圧力を低減させることを特徴とする容器。
【請求項２】
前記加熱装置は、電気加熱棒または加熱器であることを特徴とする請求項１に記載の容器。
【請求項３】
前記加熱装置は、外部が熱伝導金属層に覆われていることを特徴とする請求項２に記載の容器。
【請求項４】
前記加熱装置は、ＰＴＣサーミスタであることを特徴とする請求項１に記載の容器。
【請求項５】
前記加熱装置は、前記安全装置と結合するアダプタを有していることを特徴とする請求項４に記載の容器。
【請求項６】
前記加熱装置は、
スリーブ体と、
プラグと、
第一漏れ防止座金と、
第二漏れ防止座金と、
前記プラグを貫通し、前記スリーブ体内に位置し、前記第一漏れ防止座金及び前記アダプタを通過し、前記アダプタの支持部を経由して伸出するリード端を有する発熱ユニットと、
を有し、
前記スリーブ体の両端は、それぞれ、前記第一漏れ防止座金および前記第二漏れ防止座金を介して前記アダプタ及びナットと接続し、前記発熱ユニットが前記スリーブ体の内部に固定かつ密封されることを特徴とする請求項５に記載の容器。
【請求項７】
前記安全装置は中空の本体を有し、前記本体の一端に、ガスケット、バルブ、バネ、熔栓、および中空調整ネジが収容される収納室を有していることを特徴とする請求項１に記載の容器。
【請求項８】
前記安全装置の前記中空調整ネジは、平面部および凹溝部を有することを特徴とする請求項７に記載の容器。
【請求項９】
前記安全装置の前記ガスケット、前記バルブ、前記バネ、および前記熔栓の外径は、前記収納室の内径より小さく形成されており、前記安全装置内に通路が形成されていることを特徴とする請求項７に記載の容器。
【請求項１０】
前記缶本体の前記内部空間において、温度が所定値より高いとき、または、圧力が所定値より大きいとき、一部の気体が前記通路により前記安全装置の外部に導かれることを特徴とする請求項９に記載の容器。
【請求項１１】
前記缶本体の前記内部空間の温度が所定値より高いとき、前記熔栓が溶けることを特徴とする請求項７に記載の容器。
【請求項１２】
前記安全装置は、Ｏリングおよびパッキンナットをさらに有し、
前記加熱装置は、前記Ｏリングおよび前記パッキンナットにより前記安全装置に固定されていることを特徴とする請求項１または７に記載の容器。
【請求項１３】
前記安全装置の本体の中段部には、気体を通過させる気体通路が複数形成されていることを特徴とする請求項１または７に記載の容器。
【請求項１４】
前記安全装置は、本体の中段部の前記気体通路を覆う濾過片をさらに有することを特徴とする請求項１３に記載の容器。
【請求項１５】
前記缶本体の前記端部は、電源供給ユニットとの接続に用いられる取手と結合していることを特徴とする請求項１に記載の容器。
【請求項１６】
前記加熱装置は、前記安全装置の外部に露出されているリード端を有することを特徴とする請求項１に記載の容器。
【請求項１７】
気体貯蔵缶であることを特徴とする請求項１から１６のいずれか一項に記載の容器。
【請求項１８】
水素貯蔵缶であることを特徴とする請求項１から１６のいずれか一項に記載の容器。
【発明の詳細な説明】
【技術分野】
【０００１】
本発明は、容器に関し、特に、加熱および安全装置を有する容器に関する。
【背景技術】
【０００２】
燃料電池（Fuel Cell）は、電気化学反応に基づいて、燃料および空気を利用し、作用後に電力を発生する装置である。よって、新しいエネルギー源とされる。燃料電池で使用されている陽極燃料は、いずれの炭素と水素の化合物であることが可能であり、例えば、天然ガス、メタノール、エタノール（アルコール）、水の電気分解、沼気などである。
【０００３】
陽極燃料（例えば水素）は、通常、気体貯蔵材料（例えば金属水素化合物）が収容されている容器（例えば水素貯蔵タンク）に充填されており、気体貯蔵材料に吸着し保存される。使用するとき、容器を適切に加熱すると、陽極材料が放出され応用装置の使用に提供される。よって、各燃料電池メーカは、容器内の陽極材料を安定的に放出する方法を求めている。
【０００４】
しかし、従来の容器を加熱する方法は、多くは、容器の外部に水タンクを設置する方法である。例えば特許文献１の「水素源供給装置」は、燃料電池が生じる熱で水タンク内の冷却水を加熱し、循環管路を利用し熱エネルギーを容器に導き、容器が熱を吸収するようにし、陽極燃料を放出する目的を達成する。
【先行技術文献】
【特許文献】
【０００５】
【特許文献１】米国特許第６，４１８，２７５Ｂ１号明細書
【発明の概要】
【発明が解決しようとする課題】
【０００６】
しかし、温度が低い環境で（例えば、冬または寒帯の気候）、特に燃料電池システムが冷起動を行う時、正常に動くことができない。原因は、容器が最初に熱を得ることができないため、燃料電池システムの使用に供給できるよう陽極燃料を順調に放出することができないことにある。よって、起動できず発電ができない不都合な状況となる。
また、上述の加熱方式は、間接加熱であり、熱エネルギーの伝達効果が良からず、エネルギーが容易に消耗され、容器または気体貯蔵材料に対して直接に熱エネルギーを与えることができないことが最大の欠点である。
【０００７】
よって、加熱および安全装置を有する容器をいかに改良し、従来技術の欠点および不便を解決することは、業者が解決しようとする課題である。
【０００８】
本発明の目的は、加熱装置を有する容器を提供し、有効、直接、且つ直ちに、気体貯蔵材料に対して熱エネルギーを与え、エネルギーの消耗をゼロにし、気体の放出及び利用を助けるようにすることにある。
【０００９】
本発明の別の目的は、安全装置を有する容器を提供し、容器内の温度または内部圧力が所定値より大きいとき、内部の気体を直ちに放出し、容器を保護するのに用いる。
【課題を解決するための手段】
【００１０】
前述の目的を達成するために、本発明のより好ましい態様の容器は、内部空間を有し、気体貯蔵材料を保存するのに用いられる一つの缶本体と、缶本体の内部空間内に設置されており、熱源を提供するのに用いられ、気体貯蔵材料に熱を与え気体を放出させる少なくとも一つの加熱装置と、を少なくとも備える。
【００１１】
この目的を達成するために、本発明の別のより好ましい態様の容器は、内部空間を有し、気体貯蔵材料を保存するのに用いられる一つの缶本体と、缶本体の端部に設けられており、缶本体の内部空間において、温度が所定値より高いとき、または、圧力が所定値より大きいとき、圧力を低減させ容器を保護する少なくとも一つの安全装置と、を少なくとも備える。
【００１２】
上述の目的を達成するために、本発明が提供する容器は、内部空間を有し、気体貯蔵材料を保存するのに用いられる一つの缶本体と、缶本体の内部空間内に設置されており、熱源を提供するのに用いられ、気体貯蔵材料に熱を与え気体を放出させる少なくとも一つの加熱装置と、加熱装置と接続されており、缶本体の端部に設けられている少なくとも一つの安全装置と、を備える。
缶本体の内部空間において、温度が所定値より高いとき、または、圧力が所定値より大きいとき、安全装置を利用して圧力を低減させ容器を保護する。
【００１３】
本発明の思想によると、加熱装置は、電気加熱棒、ＰＴＣサーミスタ、または加熱器である。
【００１４】
本発明の思想によると、加熱装置は外部が熱伝導金属層に覆われている。
【００１５】
本発明の思想によると、加熱装置は、安全装置と結合するアダプタを有している。
【００１６】
本発明の思想によると、加熱装置は、スリーブ体と、プラグと、第一漏れ防止座金と、第二漏れ防止座金と、発熱ユニットと、を有する。
発熱ユニットは、プラグを貫通し、スリーブ体内に位置し、第一漏れ防止座金及びアダプタを通過し、アダプタの一つの支持部を経由して伸出するリード端を有する。
スリーブ体の両端は、それぞれ、第一漏れ防止座金および第二漏れ防止座金を介してアダプタ及びナットと接続し、発熱ユニットがスリーブ体の内部に固定かつ密封される。
【００１７】
本発明の思想によると、安全装置は中空の本体を有し、本体の一端に、ガスケット、バルブ、バネ、熔栓、および中空調整ネジが収容される収納室を有している。
【００１８】
本発明の思想によると、安全装置の中空調整ネジは、平面部および凹溝部を有する。
【００１９】
本発明の思想によると、安全装置のガスケット、バルブ、バネ、および熔栓の外径は、収納室の内径より小さく形成されており、安全装置内に通路が形成されている。
【００２０】
本発明の思想によると、缶本体の内部空間において、温度が所定値より高いとき、または、圧力が所定値より大きいとき、一部の気体が通路により安全装置の外部に導かれる。
【００２１】
本発明の思想によると、缶本体の内部空間の温度が所定値より高いとき、熔栓が溶ける。
【００２２】
本発明の思想によると、安全装置は、Ｏリングおよびパッキンナットをさらに有する。加熱装置は、Ｏリングおよびパッキンナットにより、安全装置に固定されている。
【００２３】
本発明の思想によると、安全装置の本体の中段部には、気体を通過させる気体通路が複数形成されている。
【００２４】
本発明の思想によると、安全装置は、中段部の気体通路を覆う濾過片をさらに有する。
【００２５】
本発明の思想によると、缶本体の端部は、電源供給ユニットとの接続に用いられる取手と結合している。
【００２６】
本発明の思想によると、加熱装置は、安全装置の外部に露出されているリード端を有する。
【００２７】
本発明の思想によると、容器は気体貯蔵缶である。
【００２８】
本発明の思想によると、容器は水素貯蔵缶である。
【００２９】
本発明の容器の加熱および安全装置、気体貯蔵缶、および水素貯蔵缶は、有効、直接、且つ直ちに、気体貯蔵材料に対して熱エネルギーを与え、エネルギーの消耗をゼロにし、気体の放出及び利用を助けるようにする。
【図面の簡単な説明】
【００３０】
【図１】本発明の第一実施例の組み合わせを示す図である。
【図２】図１の分解図である。
【図３】図２の組み合わせ後の断面図である。
【図４Ａ】本発明の第二実施例の分解図である。
【図４Ｂ】図４Ａの組み合わせ後の断面図である。
【図４Ｃ】図４Ｂの右側面図である。
【図５Ａ】本発明の第三実施例の分解図である。
【図５Ｂ】図５Ａの加熱装置の分解図である。
【図５Ｃ】図５Ａの組み合わせ後の断面図である。
【図５Ｄ】図５Ｃの右側面図である。
【図６】本発明の第三実施例と缶本体とを組み合わせた状態を示す断面図である。
【図７Ａ】安全装置のバルブが開く動作を示す模式図である。
【図７Ｂ】安全装置のバルブが閉じる動作を示す模式図である。
【図８】本発明が外部電源と結合する第一実施例を示す図である。
【図９Ａ】図８の通電状態を示す模式図である。
【図９Ｂ】図８の断電状態を示す模式図である。
【図１０】加熱装置が取手と結合する第二実施例を示す図である。
【図１１】加熱装置が取手と結合する第三実施例を示す図である。
【図１２Ａ】本発明が外部電源と結合する第二実施例を示す図である。
【図１２Ｂ】本発明が外部電源と結合する第二実施例を示す図である。
【図１３Ａ】本発明が外部電源と結合する第三実施例を示す図である。
【図１３Ｂ】本発明が外部電源と結合する第三実施例を示す図である。
【図１４】本発明の他の実施例を示す図である。
【発明を実施するための形態】
【００３１】
本発明の特徴および長所を表す典型的な実施例について、以下の説明の中で詳細に記述する。本発明は異なる態様において各種の変化を伴う。それは、いずれも本発明の範囲を離脱しないこと、および、明細書および図面は説明のためであり本発明を制限するためでないことを理解すべきである。
【００３２】
図１は本発明の第一実施例の組み合わせを示す模式図である。図２は図１の分解図である。図３は図２の組み合わせ後の断面図である。
図１、２、３に示すように、本発明の容器は、一つの缶本体１、一つのクイック接続端子アセンブリ２、一つの安全装置３、および一つの加熱装置４を備える。缶本体１は、一つの底端１０および出入口端１１を有する。二つの端部は、いずれもニーズに応じて、突出部および内、外ネジ歯を設けることができる。缶本体１の断面は、円形、円柱形、三角形、方形、多角形、不規則な形状等であり、実際応用時のニーズに応じて変化することができる。その材質は、鋼またはアルミ合金を含む金属であるが、これに限らない。
本発明の容器は一つの気体貯蔵缶または水素貯蔵缶である。缶本体１の内部空間１２に、気体貯蔵材料、導管、および熱伝導材料など（図に示されていない）を入れることができ、気体（例えば水素）を吸収または放出するのに用いられる。
【００３３】
缶本体１の出入口端１１はクイック接続端子アセンブリ２と結合し、それが一つの応用装置または気体供給設備（図に示されていない）と接続可能にし、その底端１０は安全装置３と接続されている。安全装置３の本体３０は、前後方向に貫通している中空体であり、内部に通路が形成されており、その一端に内側ネジ歯を有する収納室３０１を有する。収納室３０１は、ガスケット３１、バルブ３２、バネ３３、熔栓（The fusible plug block）３４、および、平面部３５１および凹溝部３５２を有する中空調整ネジ３５を収納するのに用いられる。中空調整ネジ３５は外側ネジ歯を有し収納室３０１の内側ネジ歯と対応しており、バネ３３がバルブ３２を押す力を調整することができる。
ガスケット３１、バルブ３２、バネ３３、熔栓３４は、中空の形を有し、外径が収納室３０１の内径より小さい。これにより、通路が形成され、その隙間を利用して気体を導き出す。すなわち、ガスケット３１、バルブ３２、バネ３３、および熔栓３４と収納室３０１の内壁の間に、気体を導き出せる通路が形成されている。
他端側に、外側ネジ歯３０２、３０３が設けられている。その中段の窪んだところには複数個の気体通路３０４が設けられている。気体通路３０４の上に、濾過片３６により覆われており、また一つのナット３７により外側ネジ歯３０２に固定されている。加熱装置４の一端は、連結部材４０、パッキンナット３９、Ｏリング３８および安全装置３の中空体、収納室３０１を通過し、本体３０の外側ネジ歯３０２に固定されており、そのリード端４１は安全装置３の外部に露出している。
続いて、Ｏリング３０６を本体３０の溝槽３０５に被さり、外側ネジ歯３０３を利用して、それが加熱装置４とともに缶本体１の底端１０の突出部の内側ネジ歯に安定的にロックされるようにする。加熱装置４は缶本体１の内部空間１２内の中に完全に収容され、気密の要求を満たし、図３に示すように、気体が完全に漏洩しない。
加熱装置４は、一つの電気加熱部材（例えば、加熱棒）、または、他の発熱可能な加熱器である。発熱本体は外部が熱伝導金属層に覆われている。その尾部の絶縁リード端４１は外部の電源に接続可能である。この連結部材４０は省略可能である。ニーズに応じて、それと加熱装置４とを一体成形することができる。
【００３４】
図４Ａは本発明の容器の加熱装置と安全装置の第二実施例の分解図である。大部分の構成は図２の内容と同じである。同じ部材は同じ符号を使用する。同じ符号は同じ部材、構成、および機能を意味し、説明を省略する。本実施例と前述の実施例の差異は以下の通りである。加熱装置４’は、一つの正温度係数サーミスタ（Positive Temperature Coefficient，ＰＴＣ）の発熱ユニットであり、安全な範囲内で加熱温度を制御することができる。
【００３５】
図４Ｂは図４Ａの組み合わせ後の断面図である。図４Ｃは図４Ｂの右側を示す図である。図に示すように、加熱装置４’は、アダプタ４２により安全装置３と組み合わせた後、直線状になる。リード端４１は、本体３０の中空の通路および収納室３０１を通過後、安全装置３の外部に露出し、外部の電源と接続するのに用いられる。アダプタ４２の支持部４３はパッキンナット３９およびＯリングにより本体３０にロック且つ固定され、気密な接続を形成する。本体３０の収納室３０１は、ガスケット３１、バルブ３２、バネ３３、熔栓３４、および、平面部３５１および凹溝部３５２を有する中空調整ネジ３５を収容する。中空調整ネジ３５は外側ネジ歯を有し収納室３０１の内側ネジ歯と対応しており、バネ３３がバルブ３２を押す力を調整することができる。
ガスケット３１、バルブ３２、バネ３３、熔栓３４は、中空の形を有し、外径が収納室３０１の内径より小さい。これにより、通路が形成され、その隙間を利用して気体を導き出す。また、本体３０の中段の窪んだところ（すなわち、安全装置３の本体３０の中段）には複数個の気体通路３０４が設けられ、気体を導くのに用いる。その外周は、濾過片３６により覆われており、一つのナット３７によりロック且つ固定されている。
続いて、Ｏリング３０６を本体３０の溝槽３０５に被さり、外側ネジ歯３０３を利用して、それが加熱装置４’とともに缶本体１の底端１０の突出部の内側ネジ歯に安定的にロックされるようにする。加熱装置４’は缶本体１の内部空間１２内の中に完全に収容され、気密の要求を満たし、気体が完全に漏洩しない。このアダプタ４２および支持部４３は省略可能である。ニーズに応じて、それと加熱装置４’とを一体成形することができる。
【００３６】
図５Ａは、本発明の容器の加熱装置および安全装置の第三実施例を示す分解図である。図５Ｂは本発明の加熱装置の分解図である。図５Ｃは図５Ａを組み合わせた後の断面図である。図５Ｄは図５Ｃの右側を示す図である。図６は、図５Ａの加熱装置、安全装置と缶本体を組み合わせた後の断面図を示す。
本実施例では、大部分の構成は図４Ａから図４Ｃの内容と類似する。同じ部材は同じ符号を使用する。同じ符号は同じ部材、構成、および機能を意味し、説明を省略する。
本実施例と前述の実施例の差異は以下の通りである。
加熱装置４”は、上述の発熱ユニット４’のリード端４１が一つのプラグ４４を貫通し一つの熱伝導材料または金属で作られたスリーブ体４５の中に設置され、それが漏れ防止座金４６、アダプタ４２、およびアダプタ４２の支持部４３を貫通した後スリーブ体４５の外部に出るようにする。スリーブ体４５の両端は、両側の漏れ防止座金４６、アダプタ４２、および一つのナット４７により、発熱ユニット４’をスリーブ体４５内に密封し、組立を完成させる。
本実施例では、加熱装置４”と安全装置３の接続方式は、図４Ａから図４Ｃの実施例に示すようであり、説明を省略する。
【００３７】
図７Ａおよび図７Ｂは、安全装置のバルブが開く動作および閉じる動作を示す模式図である。缶本体１の内部空間１２の圧力が所定値（例えば、比較的好ましい範囲は３．１０〜４．８３Ｍｐａ（４５０〜７００psi）、さらに好ましい範囲は３．４５〜４．４８ＭＰａ（５００〜６５０psi）、特に好ましい範囲は４．１４ＭＰａ（６００psi））より大きい時、缶本体１を保護するため、内部の気体を放出する必要が有る。
気体供給の圧力または内部圧力が所定値より大きい時、気体は安全装置３の濾過片３６へ流れた後、気体通路３０４を経由し、ガスケット３１、バルブ３２、およびバネ３３を強く押す。受力関係によりバネ３３が圧縮され、これによりバルブ３２が押されて開く。気体は、直ちに、収納室３０１の隙間通路から中空調整ネジ３５の平面部３５１まで流れ放出され、圧力減少の目的が達成される。
【００３８】
上述の圧力が解除された後、外部の圧力が缶本体１内部の圧力より大きくなり、安全装置３内のバネ３３が推力を受けずに開かれ復帰し、バルブ３２およびガスケット３１が気体通路３０４を閉じて封じるようにする。図７Ｂに示すように、缶本体１は継続して使用可能であり、何らかの損害を受けることがない。
【００３９】
また、缶本体１内の温度が継続して上昇し所定値（例えば、比較的好ましい範囲は１００℃〜１４０℃であり、さらに好ましい範囲は１１０℃〜１３０℃であり、特に好ましい範囲は１２０℃である）より高いとき、缶本体１を保護するために、内部の気体を放出する必要が有る。
もし、加熱装置４の加熱温度が上昇して所定値より高くなっても、この時、缶本体１の内部の気体圧力が所定値より大きくならないため、バルブ３２がまだ作動しない、または開かない。しかし、温度が熔栓３４の溶融温度まで達すると、それが徐々に熔解し、バネ３３に当接する面積が徐々になくなり、バネ３３の推力も徐々になくなる。最後に、ガスケット３１およびバルブ３２はバネ３３の推力を受けないため緩くなる。この時、気体通路３０４において、缶本体１の内部の気体圧力は外部の圧力より大きくなり、ガスケット３１およびバルブ３２が推されて開かれる。その内部の気体は、直ちに、収納室３０１の隙間通路から中空調整ネジ３５の平面部３５１まで流れて放出され、圧力減少の目的が達成され、缶本体１が保護される。
前述の状況は、火の温度が外部から容器に加えられた場合も同じである。
【００４０】
図８は本発明が外部電源と結合する第一実施例である。図に示すように、缶本体１は一つのウォータジャケット５内に位置している。その一端は、外部に接続可能な電源を有する取手６、および、その上の電気伝導片６０と結合されている。加熱装置４のリード端４１は、ハンダ付け、または、電気伝導部材を利用する方式で取手６の電気伝導片６０の上に接続されている。
ウォータジャケット５の端部５０は、電源および温度を自動的に制御する一つの電源供給ユニット７に接続されている。電源供給ユニット７は、一つの支持枠７１および一つの電磁石７２を経由して互いに接続されている。電磁石７２の一端は一つのナット７３により支持枠７１にロック且つ固定されている。一つの弾性片座７４は一つの外側カバー７４１により支持枠７１にロック且つ固定されている。弾性片座７４の一端は電気伝導弾性片７４２を収容し、電源及び制御ユニット７９に接続されている。電磁石７２の活動棒７２１はロックリング７５により押し板７６及び弾性片座７４と接続されている。
缶本体１がウォータジャケット５内に位置し且つ定位された場合、取手６の電気伝導片６０は弾性片座７４の前方に位置する。使用者の開閉操作または自動制御の方式により、電磁石７２の活動棒７２１を作動させ前に突出させ、活動棒７２１の弾性片座７４の電気伝導片７４２と取手６の電気伝導片６０を接続させることで、電源を導通し通路を形成し、図９Ａに示すように、缶本体１内の加熱装置４による加熱が始まる。反対に、電磁石７２の活動棒７２１が再び作動し後ろに縮退するとき、活動棒７２１の弾性片７４と取手６の電気伝導片６０が分離し断路を形成し、図９Ｂに示すように、加熱が停止する。
上述の電源供給ユニット７は、無線の電磁感応、無線電波、または核磁気共鳴等の設計に切り替えて電源を供給してもよい。また、容器の取手は、無線電波識別システム（ＲＦＩＤ）の機能を応用し、データベースと接続し、容器の規格、貯蔵された気体の種類、使用回数、およびメンテナンス記録等を記録することができる。
【００４１】
本発明の加熱装置４の接続端４１と取手６を結合する設計は、異なるニーズに応じて変更することができる。例えば、図１０に示す第二実施例では、方形の取手８において、缶本体１、安全装置３、および加熱装置４と結合する位置に、環状の電気伝導接触片８１が二つ設計されており、外部電源と接続するのに用いられる。
図１１に示す第三実施例では、取手９が円形であり、同様に、缶本体１、安全装置３、および加熱装置４と結合する位置に、環状の電気伝導接触片９１が二つ設計されており、外部電源との接続に用いられる。
【００４２】
図１２Ａおよび図１２Ｂは本発明と外部電源を結合する第二実施例の模式図である。ウォータジャケット５の端部には、電源および温度を自動的に制御する一つの電源供給ユニット７’が接続されている。連結棒７７が下側に作動することでそれをロック（フック、弾性片、またはバネの張力などの方式）する。その端部の二つの電気伝導弾性片７８と方形取手８の二つの電気伝導接触片８１とを緊密に接続させ、電源を導通し通路を形成し、図１１Ａに示すように、缶本体１内の加熱装置４による加熱が始まる。逆に、連結棒７７を上方向に引っ張るまたは解除すると、両者が分離し断路を形成し、図１１Ｂに示すように、加熱動作が停止する。
【００４３】
図１３Ａおよび図１３Ｂは、本発明と外部電源を結合する第三実施例の模式図である。ウォータジャケット５の端部には、電源および温度を自動的に制御する一つの電源供給ユニット７“が接続されている。連結棒７７’が下側に作動することでそれをロック（フック、弾性片、またはバネの張力などの方式）し、その端部の二つの電気伝導弾性片７８’と円形取手９の二つの電気伝導接触片９１を緊密に接続させ、電源を導通し通路を形成し、図１３Ａに示すように、缶本体１内の加熱装置４による加熱が始まる。逆に、連結棒７７’を上方向に引っ張るまたは解除すると、両者が分離し断路を形成し、図１３Ｂに示すように、加熱動作が停止する。
【００４４】
上述の説明により理解できるのは、本発明は単独かつ直接に加熱装置を利用して、気体貯蔵材料に熱源を提供することができ、容器内の気体がスムーズに排出できるようにする。特に、冷起動を行う段階（例えば、温度が１５℃より低い場合又は容器内圧力が０．２４ＭＰａ（３５psi）より低い場合）で、燃料電池システムおよび外部の水タンクまたはウォータジャケットを組み合わせて使用することができ、エネルギーを節約し炭素を低減する目的を達成することができる。他に、加熱装置の数は使用状のニーズに応じて加減することができる。
図１４に示すように、本発明の容器は、一つの缶本体１、一つのクイック接続端子アセンブリ２、二つの安全装置３、および二つの加熱装置（図に示されていない）を備える。使用者は、燃料電池システムが冷起動を行う時、スムーズに作動することができないことを心配する必要がない。また、操作および使用上において非常に簡単且つ便利である。さらに、気体貯蔵材料が均一かつ安定的に熱を受けるようにし、容器が気体（例えば水素）を補充および放出する効率を高めることができる。さらに、安全装置の設置により使用上の安全性を実現することができる。
【００４５】
上述の容器内で設定されている圧力または温度保護の所定値は、実際に応用される状況に応じて異なり、使用条件または環境に応じて完全に異なる。例えば、外側で容器に加えられた火の温度が所定値まで達した場合、保護メカニズムが起動する。温度が高くなるほど缶本体内部の圧力も高くなり、圧力が所定値まで達した場合、保護メカニズムが同様に起動する。設計者は、応用する異なる環境に基づいて、温度および圧力の所定値を適当に設定することによって、商品が現地の気候、応用メカニズムに適合するようにする。上述の実施例での特に好ましい所定値は、４．１４ＭＰａ（６００psi）および１２０℃であり、一つの参考用のデータであり、絶対的な数値ではなく、使用者が応用する環境によって異なる。
【００４６】
上述は、本発明の例示による詳しい実施方式であり、本発明の範囲を限定するものではない。本技術分野の技術者が本発明の思想および原則を逸脱しない前提で行う同等の変化および修正は、いずれも本発明の保護範囲に属する。本発明の各部分は上述の実施例に限らず、本発明の明細書で説明した各技術特徴は、実際のニーズに応じて、一つを選択して単独で使用する、または、複数を選択して組み合わせて使用することができる。よって、本発明の技術的範囲には、本発明のポイントと関連する他の組み合わせおよび具体的な応用が含まれる。
【符号の説明】
【００４７】
１      容器
１０    底端
１１    出入口端
１２    内部空間
２      快速接続端子アセンブリ
３      安全装置
３０    本体
３０１  収納室
３０２  外側ネジ歯
３０３  外側ネジ歯
３０４  気体通路
３０５  溝槽
３１    ガスケット
３２    バルブ
３３    バネ
３４    熔栓
３５    中空調整ネジ
３５１  平面部
３５２  凹溝部
３６    濾過片
３７    ナット
３８    Ｏリング
３９    パッキンナット
４、４’  加熱装置
４０    連結部材
４１    リード端
４２    アダプタ
４３    支持部
４４    プラグ
４５    スリーブ体
４６    座金
４７    ナット
５      ウォータジャケット
５０    端部
６      取手
６０    電気伝導片
７、７’、７”  電源供給ユニット
７１    支持枠
７２    電磁石
７２１  活動棒
７３    ナット
７４    弾性片座
７４１  外側カバー
７４２  電気伝導弾性片
７５    ロックリング
７６    押し板
７７、７７’  連結棒
７８、７８’  電気伝導弾性片
７９    制御ユニット
８      方形取手
８１    電気伝導接触片
９      円形取手
９１    電気伝導接触片
【図１】
2017040371.tif 000003
【図２】
2017040371.tif 000004
【図３】
2017040371.tif 000005
【図４Ａ】
2017040371.tif 000006
【図４Ｂ】
2017040371.tif 000007
【図４Ｃ】
2017040371.tif 000008
【図５Ａ】
2017040371.tif 000009
【図５Ｂ】
2017040371.tif 000010
【図５Ｃ】
2017040371.tif 000011
【図５Ｄ】
2017040371.tif 000012
【図６】
2017040371.tif 000013
【図７Ａ】
2017040371.tif 000014
【図７Ｂ】
2017040371.tif 000015
【図８】
2017040371.tif 000016
【図９Ａ】
2017040371.tif 000017
【図９Ｂ】
2017040371.tif 000018
【図１０】
2017040371.tif 000019
【図１１】
2017040371.tif 000020
【図１２Ａ】
2017040371.tif 000021
【図１２Ｂ】
2017040371.tif 000022
【図１３Ａ】
2017040371.tif 000023
【図１３Ｂ】
2017040371.tif 000024
【図１４】
2017040371.tif 000025
【外国語明細書】
2017040371.tif 000026
2017040371.tif 000027
2017040371.tif 000028
2017040371.tif 000029
2017040371.tif 000030
2017040371.tif 000031
2017040371.tif 000032
2017040371.tif 000033
2017040371.tif 000034
2017040371.tif 000035
2017040371.tif 000036
2017040371.tif 000037
2017040371.tif 000038
2017040371.tif 000039
2017040371.tif 000040
2017040371.tif 000041
2017040371.tif 000042
2017040371.tif 000043
2017040371.tif 000044
2017040371.tif 000045
2017040371.tif 000046
2017040371.tif 000047
2017040371.tif 000048
2017040371.tif 000049
2017040371.tif 000050
2017040371.tif 000051
2017040371.tif 000052
2017040371.tif 000053
2017040371.tif 000054
2017040371.tif 000055
2017040371.tif 000056
2017040371.tif 000057
2017040371.tif 000058